(57)【要約】      （修正有）【課題】携帯電話のイヤホンジャックに差し込まない時にもイヤホンジャック・アクセサリーを紛失する事がほとんどないイヤホンジャック・アクセサリーのキャッチ・パーツを提供する。【解決手段】携帯電話のイヤホンジャック・アクセサリーのキャッチ・パーツは素材としてＡＢＳ樹脂やナイロン樹脂など柔軟性を有する合成樹脂を使用しており、筒状本体部の外側面に長手方向に平行に設けた隆起凸状部とそれを挟んで相対する位置に設けた１対の爪とでイヤホンコード接合部に対して確実に嵌合し固定する事が出来て、イヤホンセットと一体化して飾り部品となり得て見栄えも秀逸であり、かつイヤホンジャック・アクセサリーをイヤホンジャックに差し込まない時に紛失する事がほとんどなくなった。【選択図】図３
0003179384.tif 000002
【実用新案登録請求の範囲】
【請求項１】
スマート・フォン等の携帯電話や、その他の電子機器のイヤホン差し込み口のジャックに差し込むアクセサリーを挿入固定する合成樹脂製のキャッチ・パーツであって、該アクセサリーを不使用の時に挿入し固定する本体筒状部と、該本体筒状部の外側面に対して長手方向に平行に設けた隆起凸状部と該隆起凸状部を挟んで相対する位置に１対で設けた爪とでイヤホンコード接合部に対して確実に嵌合し固定する事を特徴とするイヤホンジャック・アクセサリーのキャッチ・パーツ。
【請求項２】
素材としてＡＢＳ樹脂やナイロン樹脂などの柔軟性を有する合成樹脂を使用する請求項１に記載されたイヤホンジャック・アクセサリーのキャッチ・パーツ。
【請求項３】
表面にメッキ加工や有色塗装により色柄のある塗装を施した請求項１又は２に記載されたイヤホンジャック・アクセサリーのキャッチ・パーツ。
【請求項４】
表面に印刷加工を施した請求項１又は２に記載されたイヤホンジャック・アクセサリーのキャッチ・パーツ。
【請求項５】
キャッチ・パーツの本体筒状部の外側面に対して長手方向に平行に設けた隆起凸状部と該隆起凸状部を挟んで相対する位置に１対で設けた爪とでイヤホンコード接合部の凹みに確実に嵌合し固定する事が出来る請求項１〜４のいずれか１項に記載されたイヤホンジャック・アクセサリーのキャッチ・パーツ。
【考案の詳細な説明】
【技術分野】
【０００１】  本考案は携帯電話のイヤホンジャック・アクセサリーのキャッチ・パーツに関する。
【背景技術】
【０００２】  従来、携帯電話のイヤホンジャック・アクセサリーの固定方法や用具としてはジャック差し込み口に単にイヤホンジャック・アクセサリーを差し込む物や、飾りパーツを収納するホルダーを用意し、そのまま装飾部材に組み込んでアクセサリー様の形態で使用するものがあった。これらのキャッチ・パーツに関する技術が知られている（例えば、特許文献１、特許文献２参照）。【０００３】
【特許文献１】登録実用新案公報第３１７０６０４号公報
【特許文献２】登録実用新案公報第３１７１４９１号公報
【考案の開示】
【考案が解決しようとする課題】
【０００４】  しかしながら、特許文献１は携帯電話のイヤホンジャックに飾りパーツを差し込んで飾るだけの内容である。【０００５】  また特許文献２は携帯電話のイヤホンジャック飾りを受け入れる形状のホルダーの考案が記載されているが、その開口部の内面については、前記ジャック差し込み口の内部構造に対応した形状のものとなっていて、複雑な内面構造に合致させる事も容易な事ではない。【０００６】  そこで、携帯電話のイヤホンジャック・アクセサリーのキャッチ・パーツとして、簡単にイヤホンジャックの差し込み口に差し込めて、しかも所定の場所に固定する事により紛失する可能性がほとんど無いキャッチ・パーツの要望が従来から大きかった。【０００７】  本考案は以上のような従来の問題点を解決するために創案されたもので、次の目的を達成する。【０００８】  本考案の目的は、携帯電話のイヤホンジャックに挿入する時は装飾性を持たせる事が出来て良いが、イヤホンジャックに挿入しない時には固定する場所がないために、紛失する事も多かったので、紛失が起こらないイヤホンジャック・アクセサリーのキャッチ・パーツを考案する事である。【０００９】また、本考案の携帯電話のイヤホンジャック・アクセサリーのキャッチ・パーツを使用する機器については携帯電話以外の携帯ラジオなどでも良いことは言うまでもない。
【課題を解決するための手段】
【００１０】  本考案は、前記目的を達成するために次の手段をとる。
本考案の携帯電話のイヤホンジャック・アクセサリーのキャッチ・パーツは、スマート・フォン等の携帯電話や、その他の電子機器のイヤホン差し込み口のジャックに差し込むアクセサリーを挿入固定するキャッチ・パーツであって、素材としてＡＢＳ樹脂やナイロン樹脂など柔軟性を有する合成樹脂を使用するために、該アクセサリーを不使用の時に挿入固定する本体筒状部と、該本体筒状部の外側面に対して長手方向に平行に設けた隆起凸状部と該隆起凸状部を挟んで相対する位置に１対で設けた爪とでイヤホンコード接合部に対して確実に嵌合し固定出来るイヤホンジャック・アクセサリーのキャッチ・パーツとなった。
【考案の効果】
【００１１】  本考案の携帯電話のイヤホンジャック・アクセサリーのキャッチ・パーツは、素材としてＡＢＳ樹脂やナイロン樹脂など柔軟性を有する合成樹脂を使用しており、本体筒状部の外側面に対して長手方向に平行に設けた隆起凸状部と該隆起凸状部を挟んで相対する位置に１対で設けた爪とでイヤホンコード接合部に対して確実に嵌合し固定する事が出来る。最大の特徴はイヤホンジャックに差し込まない時に、イヤホンジャック・アクセサリーを紛失する事がほとんどなくなった事である。またキャッチ・パーツ本体にはメッキ、有色塗装、印刷などの加工を施す事で、イヤホンコードと一体化した飾り部品ともなり得て見栄えも秀逸である。【００１２】以上説明したように、本考案の携帯電話のイヤホンジャック・アクセサリーのキャッチ・パーツは、イヤホンジャックに差し込まない時にイヤホンコードと一体化して飾り部品ともなり得て、なおかつイヤホンジャック・アクセサリーを紛失する心配がほとんどないイヤホンジャック・アクセサリーのキャッチ・パーツを作ることが出来るものである。
【考案を実施するための最良の形態】
【００１３】本考案の携帯電話のイヤホンジャック・アクセサリーのキャッチ・パーツの実施の形態を図面に基づいて説明する。
図１は、本考案の携帯電話のイヤホンジャック・アクセサリーのキャッチ・パーツの実施の形態を示す部分断面正面図である。１は本考案のイヤホンジャック・アクセサリーのキャッチ・パーツで１ａと１ｂと１ｃと１ｄと１ｅから成る。１ａはイヤホンジャック・アクセサリーの差し込み口である開口部。１ｂはイヤホンジャック・アクセサリーを不使用の時に挿入固定する本体筒状部。１ｃは該本体筒状部の底部、１ｅはイヤホンコードの接合部の凹みに嵌合する該本体筒状部の外側面に対して長手方向に平行に設けた隆起凸状部。１ｄは同じく該本体筒状部の外側面に対して該隆起凸状部を挟んで相対する位置に１対で設けた、コード接合部に嵌合する突出爪。１ｄと１ｅとでイヤホンコード接合部に対して確実に嵌合し固定する事が出来る。図２は本考案の携帯電話のイヤホンジャック・アクセサリーのキャッチ・パーツの上面図。図３は携帯電話のイヤホンジャック・アクセサリーを挿入し固定する本考案の携帯電話のイヤホンジャック・アクセサリーのキャッチ・パーツの斜視図である。図４は本考案の携帯電話のイヤホンジャック・アクセサリーのキャッチ・パーツに固定出来るイヤホンジャック・アクセサリーを示す斜視図である。２ａは該イヤホンジャック・アクセサリーの飾り部、２ｂは該イヤホンジャック・アクセサリーの棒状軸部である。図５は本考案の携帯電話のイヤホンジャック・アクセサリーのキャッチ・パーツを嵌合し固定出来るイヤホンとイヤホンコードから成るイヤホンセットを示す、一部省略の略正面図である。３ａはイヤホン、３ｂはコードである。図６は、本考案の携帯電話のイヤホンジャック・アクセサリーのキャッチ・パーツにイヤホンジャック・アクセサリーを挿入固定しようとする状態を示す一部省略の略正面図である。図７は本考案の携帯電話のイヤホンジャック・アクセサリーのキャッチ・パーツをイヤホンコードに装着した状態をイヤホン・コード側から見た状態を示す参考斜視図である。図８は本考案の携帯電話のイヤホンジャック・アクセサリーのキャッチ・パーツをイヤホンコードに装着した状態をキャッチ・パーツ側から見た状態を示す参考斜視図である。図９はイヤホンセットに装着した本考案の携帯電話のイヤホンジャック・アクセサリーのキャッチ・パーツにイヤホンジャック・アクセサリーを挿入し固定した状態を示す、一部省略の略正面図である。図１０は携帯電話のイヤホンジャック・アクセサリーのイヤホンジャックの通常の使用方法を示していて、イヤホンジャックにイヤホンジャック・アクセサリーを差し込む様子を示す参考斜視図である。４はスマート・フォンなどの携帯電話、４ａはイヤホンジャック差し込み口である。【００１４】  以上、本考案の実施の形態を説明したが、本考案はこの実施の形態に限定されることはない。本考案の目的、趣旨を逸脱しない範囲内での変更が可能なことは言うまでもない。
【図面の簡単な説明】
【００１５】
【図１】図１は本考案の携帯電話のイヤホンジャック・アクセサリーのキャッチ・パーツの実施の形態を示す部分断面正面図である。
【図２】図２は本考案の携帯電話のイヤホンジャック・アクセサリーのキャッチ・パーツの上面図である。
【図３】図３は本考案の携帯電話のイヤホンジャック・アクセサリーのキャッチ・パーツの斜視図である。
【図４】図４は本考案の携帯電話のイヤホンジャック・アクセサリーのキャッチ・パーツに固定出来るイヤホンジャック・アクセサリーを示す斜視図である。
【図５】図５は本考案の携帯電話のイヤホンジャック・アクセサリーのキャッチ・パーツを嵌合固定出来るイヤホンとイヤホンコードから成るイヤホンセットの一部省略の略正面図である。
【図６】図６は本考案の携帯電話のイヤホンジャック・アクセサリーのキャッチ・パーツにイヤホンジャック・アクセサリーを装着しようとする状態を示す一部省略の略正面図である。
【図７】図７は本考案の携帯電話のイヤホンジャック・アクセサリーのキャッチ・パーツをイヤホンコードに装着した状態をイヤホン・コード側から見た状態を示す参考斜視図である。
【図８】図８は本考案の携帯電話のイヤホンジャック・アクセサリーのキャッチ・パーツをイヤホンコードに装着した状態をキャッチ・パーツ側から見た状態を示す参考斜視図である。
【図９】図９はイヤホンセットに装着した本考案の携帯電話のイヤホンジャック・アクセサリーのキャッチ・パーツにイヤホンジャック・アクセサリーを挿入固定した状態を示す一部省略の略正面図である。
【図１０】図１０は携帯電話のイヤホンジャックの通常の使用方法を示していて、携帯電話のイヤホンジャックにイヤホンジャック・アクセサリーを差し込む様子をを示す参考斜視図である。
【符号の説明】
【００１６】１…イヤホンジャック・アクセサリーのキャッチ・パーツ
１ａ…イヤホンジャック・アクセサリーの差し込み口である開口部
１ｂ…本体筒状部
１ｃ…底部
１ｄ…イヤホンコード接合部に嵌合する突出爪
１ｅ…隆起凸状部
２…イヤホンジャック・アクセサリー
２ａ…飾り部
２ｂ…棒状軸部
３…イヤホン・セット
３ａ…イヤホン
３ｂ…イヤホンコード
４…スマート・フォンなどの携帯電話
４ａ…イヤホンジャック差し込み口
【図１】
0003179384.tif 000003
【図２】
0003179384.tif 000004
【図３】
0003179384.tif 000005
【図４】
0003179384.tif 000006
【図５】
0003179384.tif 000007
【図６】
0003179384.tif 000008
【図７】
0003179384.tif 000009
【図８】
0003179384.tif 000010
【図９】
0003179384.tif 000011
【図１０】
0003179384.tif 000012